【手続補正書】
【提出日】平成19年12月13日(2007.12.13)
【手続補正１】
【補正対象書類名】特許請求の範囲
【補正対象項目名】全文
【補正方法】変更
【補正の内容】
【特許請求の範囲】
【請求項１】
被写体の像を時間軸に沿って撮像する撮像手段と、
前記撮像手段からの撮像信号を動画ファイルに変換する変換手段と、
該動画ファイルを記憶する記憶手段と、
動画の中の一つながりの断片部分であるシーンのそれぞれについて文字、絵コンテ、挿し絵又はイラスト若しくは写真によるによるガイダンスを含む撮影指南情報を有するとともに、前記シーンのそれぞれについて撮影条件を設定するための撮影条件データを有するシナリオデータを保持するシナリオデータ保持手段と、
前記撮像手段を用いて行われる動画の各シーンの撮影時に前記シナリオデータの該当シーンの撮影指南情報を表示する表示手段と、
前記撮像手段を用いて行われる動画の各シーンの撮影時に前記シナリオデータの該当シーンの撮影条件データに基づく撮影条件を設定する設定手段と
を備えることを特徴とする動画記録装置。
【請求項２】
前記撮影条件データは、絞り、被写界深度、画角、ズーム倍率、画像のボケ具合、露出、ホワイトバランス又は自動手ブレ補正の制御データであることを特徴とする請求項１記載の動画記録装置。
【請求項３】
更に、前記シナリオデータに含まれる各シーンの撮影条件データに基づいて、当該シーンにおける前記撮像手段による撮影動作を制御する撮影制御手段、を備えたことを特徴とする請求項１記載の動画記録装置。
【請求項４】
前記シナリオデータ保持手段は、複数種類のシナリオデータを保持し、このシナリオデータ保持手段に保持された複数種類のシナリオデータの内で任意のシナリオデータを選択する選択手段、を更に備え、前記表示手段は、当該選択手段で選択されたシナリオデータに含まれる撮影指南情報を表示する、ことを特徴とする請求項１記載の動画記録装置。
【請求項５】
更に、前記記憶手段に記憶された動画ファイルを読み出して表示し、その動画ファイルを前記シナリオデータに含まれる各シーンの撮影指南情報に基づいて編集する編集手段、を備えたことを特徴とする請求項１記載の動画記録装置。
【請求項６】
前記絵コンテ、挿し絵又はイラスト若しくは写真によるガイダンスは、撮影構図や画角又はライティングの種類若しくはカメラワークやカメラの移動の仕方をイメージさせるものであることを特徴とする請求項１記載の動画記録装置。
【請求項７】
前記シナリオデータは、各シーンの効果音やＢＧＭ又はナレーションのデータをさらに含むことを特徴とする請求項１記載の動画記録装置。
【請求項８】
前記シナリオデータを外部から取り込んで、シナリオデータ保持手段に保持させるシナリオデータ取り込み手段をさらに備えることを特徴とする請求項１記載の動画記録装置。
【請求項９】
前記シナリオデータの取込先は、外部のパソコン、ネットワーク上のサーバ又はインターネット上のサーバ若しくはテレビジョン放送網上の配信サーバであることを特徴とする請求項８記載の動画記録装置。
【請求項１０】
被写体の像を時間軸に沿って撮像する撮像工程と、
前記撮像工程からの撮像信号を動画ファイルに変換する変換工程と、
該動画ファイルを記憶する記憶工程と、
動画の中の一つながりの断片部分であるシーンのそれぞれについて文字、絵コンテ、挿し絵又はイラスト若しくは写真によるによるガイダンスを含む撮影指南情報を有するとともに、前記シーンのそれぞれについて撮影条件を設定するための撮影条件データを有するシナリオデータを保持するシナリオデータ保持工程と、
前記撮像工程によって行われる動画の各シーンの撮影時に前記シナリオデータの該当シーンの撮影指南情報を表示する表示工程と、
前記撮像工程によって行われる動画の各シーンの撮影時に前記シナリオデータの該当シーンの撮影条件データに基づく撮影条件を設定する設定工程と
を含むことを特徴とする動画記録方法。
【請求項１１】
被写体の像を時間軸に沿って撮像する撮像手段を備える動画記録装置のコンピュータを、
前記撮像手段からの撮像信号を動画ファイルに変換する変換手段、
該動画ファイルを記憶媒体に記憶させる記憶制御手段、
動画の中の一つながりの断片部分であるシーンのそれぞれについて文字、絵コンテ、挿し絵又はイラスト若しくは写真によるによるガイダンスを含む撮影指南情報を有するとともに、前記シーンのそれぞれについて撮影条件を設定するための撮影条件データを有するシナリオデータを保持するシナリオデータ保持手段、
前記撮像手段を用いて行われる動画の各シーンの撮影時に前記シナリオデータの該当シーンの撮影指南情報を表示部に表示させる表示制御手段、
前記撮像手段を用いて行われる動画の各シーンの撮影時に前記シナリオデータの該当シーンの撮影条件データに基づく撮影条件を設定する設定手段、
として機能させるためのプログラム。
【手続補正２】
【補正対象書類名】明細書
【補正対象項目名】発明の名称
【補正方法】変更
【補正の内容】
【発明の名称】動画記録装置及び動画記録方法、プログラム
【手続補正３】
【補正対象書類名】明細書
【補正対象項目名】０００１
【補正方法】変更
【補正の内容】
【０００１】
本発明は、動画記録装置及び動画記録方法に関し、たとえば、デジタルビデオカメラ、又は動画撮影機能付きのデジタルカメラや携帯電話機等に適用できる動画記録装置及び動画記録方法、プログラムに関する。
【手続補正４】
【補正対象書類名】明細書
【補正対象項目名】００１２
【補正方法】変更
【補正の内容】
【００１２】
請求項１記載の発明は、被写体の像を時間軸に沿って撮像する撮像手段と、前記撮像手段からの撮像信号を動画ファイルに変換する変換手段と、該動画ファイルを記憶する記憶手段と、動画の中の一つながりの断片部分であるシーンのそれぞれについて文字、絵コンテ、挿し絵又はイラスト若しくは写真によるによるガイダンスを含む撮影指南情報を有するとともに、前記シーンのそれぞれについて撮影条件を設定するための撮影条件データを有するシナリオデータを保持するシナリオデータ保持手段と、前記撮像手段を用いて行われる動画の各シーンの撮影時に前記シナリオデータの該当シーンの撮影指南情報を表示する表示手段と、前記撮像手段を用いて行われる動画の各シーンの撮影時に前記シナリオデータの該当シーンの撮影条件データに基づく撮影条件を設定する設定手段とを備えることを特徴とする動画記録装置である。
請求項２記載の発明は、前記撮影条件データは、絞り、被写界深度、画角、ズーム倍率、画像のボケ具合、露出、ホワイトバランス又は自動手ブレ補正の制御データであることを特徴とする請求項１記載の動画記録装置である。
請求項３記載の発明は、更に、前記シナリオデータに含まれる各シーンの撮影条件データに基づいて、当該シーンにおける前記撮像手段による撮影動作を制御する撮影制御手段、を備えたことを特徴とする請求項１記載の動画記録装置である。
請求項４記載の発明は、前記シナリオデータ保持手段は、複数種類のシナリオデータを保持し、このシナリオデータ保持手段に保持された複数種類のシナリオデータの内で任意のシナリオデータを選択する選択手段、を更に備え、前記表示手段は、当該選択手段で選択されたシナリオデータに含まれる撮影指南情報を表示する、ことを特徴とする請求項１記載の動画記録装置である。
請求項５記載の発明は、更に、前記記憶手段に記憶された動画ファイルを読み出して表示し、その動画ファイルを前記シナリオデータに含まれる各シーンの撮影指南情報に基づいて編集する編集手段、を備えたことを特徴とする請求項１記載の動画記録装置である。
請求項６記載の発明は、前記絵コンテ、挿し絵又はイラスト若しくは写真によるガイダンスは、撮影構図や画角又はライティングの種類若しくはカメラワークやカメラの移動の仕方をイメージさせるものであることを特徴とする請求項１記載の動画記録装置である。
請求項７記載の発明は、前記シナリオデータは、各シーンの効果音やＢＧＭ又はナレーションのデータをさらに含むことを特徴とする請求項１記載の動画記録装置である。
請求項８記載の発明は、前記シナリオデータを外部から取り込んで、シナリオデータ保持手段に保持させるシナリオデータ取り込み手段をさらに備えることを特徴とする請求項１記載の動画記録装置である。
請求項９記載の発明は、前記シナリオデータの取込先は、外部のパソコン、ネットワーク上のサーバ又はインターネット上のサーバ若しくはテレビジョン放送網上の配信サーバであることを特徴とする請求項８記載の動画記録装置である。
請求項１０記載の発明は、被写体の像を時間軸に沿って撮像する撮像工程と、前記撮像工程からの撮像信号を動画ファイルに変換する変換工程と、該動画ファイルを記憶する記憶工程と、動画の中の一つながりの断片部分であるシーンのそれぞれについて文字、絵コンテ、挿し絵又はイラスト若しくは写真によるによるガイダンスを含む撮影指南情報を有するとともに、前記シーンのそれぞれについて撮影条件を設定するための撮影条件データを有するシナリオデータを保持するシナリオデータ保持工程と、前記撮像工程によって行われる動画の各シーンの撮影時に前記シナリオデータの該当シーンの撮影指南情報を表示する表示工程と、前記撮像工程によって行われる動画の各シーンの撮影時に前記シナリオデータの該当シーンの撮影条件データに基づく撮影条件を設定する設定工程とを含むことを特徴とする動画記録方法である。
請求項１１記載の発明は、被写体の像を時間軸に沿って撮像する撮像手段を備える動画記録装置のコンピュータを、前記撮像手段からの撮像信号を動画ファイルに変換する変換手段、該動画ファイルを記憶媒体に記憶させる記憶制御手段、動画の中の一つながりの断片部分であるシーンのそれぞれについて文字、絵コンテ、挿し絵又はイラスト若しくは写真によるによるガイダンスを含む撮影指南情報を有するとともに、前記シーンのそれぞれについて撮影条件を設定するための撮影条件データを有するシナリオデータを保持するシナリオデータ保持手段、前記撮像手段を用いて行われる動画の各シーンの撮影時に前記シナリオデータの該当シーンの撮影指南情報を表示部に表示させる表示制御手段、前記撮像手段を用いて行われる動画の各シーンの撮影時に前記シナリオデータの該当シーンの撮影条件データに基づく撮影条件を設定する設定手段、として機能させるためのプログラムである。